(57)【特許請求の範囲】
【請求項１】
開口を有する液不透過性の袋と、
前記開口の周縁に設けられ、弾性体から構成される肌当接部材と、
前記袋の内部に、前記肌当接部材に接合して設けられるスペーサーと、液吸収体とを有し、
前記スペーサーが、前記肌当接部材の内縁によって形成される開口と重なる開口を有しており、
前記スペーサーが通液路を有することを特徴とする排泄物収容物品。
【請求項２】
前記スペーサーが発泡ポリマーまたは繊維塊から構成され、前記発泡ポリマーまたは前記繊維塊の内部に存在する空隙が前記通液路として機能する請求項１に記載の排泄物収容物品。
【請求項３】
前記繊維塊が、エアスルー不織布、エアレイド不織布、およびケミカルボンド不織布よりなる群から選ばれる少なくとも１種の不織布である請求項２に記載の排泄物収容物品。
【請求項４】
前記肌当接部材が、表面が液不透過性に形成された発泡ポリマー、または表面に液不透過層が設けられた発泡ポリマーから構成される請求項１〜３のいずれか一項に記載の排泄物収容物品。
【請求項５】
前記スペーサーに溝が形成されている請求項１〜４のいずれか一項に記載の排泄物収容物品。
【請求項６】
前記スペーサーが、前記肌当接部材の外縁より外方に延在する請求項１〜５のいずれか一項に記載の排泄物収容物品。
【請求項７】
前記肌当接部材は、前記袋を挟んで前記袋の外部と内部にまたがって設けられる請求項１〜６のいずれか一項に記載の排泄物収容物品。
【発明の詳細な説明】
【技術分野】
【０００１】
本発明は、尿や経血等を収容できる排泄物収容物品に関するものである。
【背景技術】
【０００２】
従来、トップシートとバックシートとの間に上層と下層を有する吸収性コアが設けられ、トップシートと上層の吸収性コアに排泄物を通過させるための開口が設けられている吸収性物品が知られている（特許文献１）。この吸収性物品は、上層と下層の間に、上層と下層の間の空きスペースを維持するためのスペーサーが設けられ、スペーサーは、着用者の体重によって吸収性物品が厚み方向に圧迫されても、空きスペースを好適に維持するように作用している。
【先行技術文献】
【特許文献】
【０００３】
【特許文献１】特許第３３２０７２３号公報
【発明の概要】
【発明が解決しようとする課題】
【０００４】
一般に吸収性物品は、トップシートが液透過性であり、着用者から排泄された尿等はトップシートを透過して吸収性物品の内部に収容される。しかし、尿等が一度に大量に排出されると、尿等が吸収性物品で速やかに収容されず、横漏れが起こるおそれがある。特に、吸収性物品が厚み方向に圧迫されるような場合は、尿等の吸収性物品への収容速度が低下して、尿等の横漏れがさらに起こりやすくなる。特許文献１に開示される吸収性物品においても、尿等はトップシートを透過して吸収性物品の内部に収容され、上記と同様の問題が起こり得る。
【０００５】
本発明は前記事情に鑑みてなされたものであり、その目的は、厚み方向に圧迫されても、尿等の排泄物を好適に収容できる排泄物収容物品を提供することにある。
【課題を解決するための手段】
【０００６】
前記課題を解決することができた本発明の排泄物収容物品とは、開口を有する液不透過性の袋と、開口の周縁に設けられ、弾性体から構成される肌当接部材と、袋の内部に肌当接部材に接合して設けられるスペーサーとを有し、スペーサーが通液路を有するところに特徴を有する。
【０００７】
本発明の排泄物収容物品は、液不透過性の袋に開口が設けられ、この開口の周縁に弾性体から構成される肌当接部材が設けられているため、着用者から排泄された尿等の排泄物が、袋の外に漏れることなく開口を通って確実に袋に収容されるようになる。開口を通って袋内に移行した尿等は、排泄物収容物品が厚み方向に圧迫されても、スペーサーの通液路を通ってさらに袋の内部の奥に移行することができるため、尿等が袋から溢れることなく袋内に収容されるようになる。
【０００８】
スペーサーは、発泡ポリマーまたは繊維塊から構成されることが好ましい。スペーサーが発泡ポリマーまたは繊維塊から構成されれば、発泡ポリマーまたは繊維塊の内部に存在する空隙が通液路として機能する。従って、開口を通って袋内に移行した尿等の排泄物は、発泡ポリマーまたは繊維塊の内部に存在する空隙を通って、袋の内部の奥に移行することができる。
【０００９】
スペーサーが繊維塊から構成される場合、繊維塊は、エアスルー不織布、エアレイド不織布、およびケミカルボンド不織布よりなる群から選ばれる少なくとも１種の不織布であることが好ましい。このような不織布をスペーサーとして用いれば、不織布を構成する繊維間隙が比較的大きく形成され、尿等の拡散性が高められる。
【００１０】
スペーサーには溝が形成されていてもよい。スペーサーに溝が形成されていれば、この溝が通液路として機能する。
【００１１】
肌当接部材は、表面が液不透過性に形成された発泡ポリマー、または表面に液不透過層が設けられた発泡ポリマーから構成されることが好ましい。このように肌当接部材が構成されれば肌当接部材が湿りにくくなり、着用者の肌が肌当接部材に触れても、着用者が肌当接部材に対し濡れた感覚を覚えにくくなって、排泄物収容物品に対する着用感が向上する。
【００１２】
スペーサーは、肌当接部材の外縁より外方に延在することが好ましい。このようにスペーサーが設けられていれば、排泄物収容物品が厚み方向に圧迫されても、袋の内部で尿等の排泄物がスペーサーの通液路を通って広範囲に拡散できるようになる。
【００１３】
スペーサーは、肌当接部材の内縁によって形成される開口と重なる開口を有することが好ましい。このようにスペーサーに開口が設けられれば、排泄物収容物品が厚み方向に圧迫されても、着用者の肌がスペーサーに触れにくくなる。従って、スペーサーが尿等を吸収していても、着用者の肌がスペーサーに触れて不快感を覚えにくくなる。
【００１４】
袋の内部には、液吸収体が設けられていることが好ましい。袋の内部に液吸収体が設けられていれば、袋の内部に収容された尿等の排泄物が液吸収体に吸収されて固定され、尿等の排泄物を袋内に好適に収容できるようになる。
【発明の効果】
【００１５】
本発明の排泄物収容物品は、液不透過性の袋に形成された開口の周縁に肌当接部材が設けられているため、着用者から排泄された尿等の排泄物が、袋の外に漏れることなく開口を通って確実に袋に収容されるようになる。開口を通って袋内に移行した尿等は、排泄物収容物品が厚み方向に圧迫されても、スペーサーの通液路を通ってさらに袋の内部の奥に移行することができるため、尿等が袋から溢れることなく袋内に収容されるようになる。
【図面の簡単な説明】
【００１６】
【図１】本発明の排泄物収容物品の斜視図を表す。
【図２】図１に示した排泄物収容物品のＡ−Ａ断面図を表す。
【図３】図１に示した排泄物収容物品に備えられるスペーサーの例を表す。図３（ａ）は溝を有しないスペーサーの斜視図を表し、図３（ｂ）は溝を有するスペーサーの斜視図を表し、図３（ｃ）はスペーサーが一部分断されて設けられることにより溝が形成されたスペーサーの斜視図を表す。
【図４】本発明の排泄物収容物品の斜視図を表す。
【図５】図４に示した排泄物収容物品のＢ−Ｂ断面図を表す。
【発明を実施するための形態】
【００１７】
本発明の排泄物収容物品について、図面を参照して説明する。なお、本発明は、図面に示された実施態様に限定されるものではない。
【００１８】
図１および図２には、本発明の排泄物収容物品の一実施態様を示した。図１は、本発明の排泄物収容物品の斜視図を表す。図１は、排泄物収容物品の着用者の肌に面する側を表している。図２は、図１のＡ−Ａ断面図を表す。なお、本願の図では、矢印ｘが幅方向、矢印ｙが長手方向を表し、矢印ｘ，ｙにより形成される面に対して垂直方向が厚み方向ｚを表す。長手方向ｙは、排泄物収容物品を着用者が着用した際、着用者の股間の前後方向に延びる方向を意味する。幅方向ｘとは、排泄物収容物品を平面に広げた状態で排泄物収容物品と同一面上にあり、長手方向ｙと直交する方向を意味する。また、本発明において、上側とは排泄物収容物品を着用した際の着用者側を意味し、下側とは排泄物収容物品を着用した際の着用者とは反対側、すなわち外側を意味する。
【００１９】
本発明の排泄物収容物品１は、開口５を有する液不透過性の袋２を有する。排泄物収容物品１は、開口５が着用者の排尿部に面するように着用されるものであり、着用者から排泄された尿等の排泄物は、開口５を通って袋２に収容される。本発明の排泄物収容物品は、特に女性用の排泄物収容物品として好適に使用される。
【００２０】
袋２は、シート部材が袋状に形成されたものであればよい。袋２は、例えば、１枚のシート部材が袋状に形成されたものであってもよく、２枚以上のシート部材を繋ぎ合わせて袋状に形成されたものであってもよい。図１および図２では、袋２は、開口５を有する表面シート３と底面シート４から構成され、表面シート３と底面シート４の周縁を互いに接合することにより袋状に形成されている。なお、表面シート３は、排泄物収容物品１の着用の際に着用者側に位置するシートであり、底面シート４は、排泄物収容物品１の着用の際に着用者とは反対側、すなわち外側に位置するシートである。
【００２１】
袋２は、液不透過性であればその材料は特に限定されない。袋２の材料としては、ポリオレフィン（例えば、プロピレン、ポリエチレン）、ポリエステル、ポリアミド（例えば、ナイロン）等の疎水性繊維から形成された不織布や、プラスチックフィルム等を用いることができる。また、不織布とプラスチックフィルムとの積層体を用いてもよい。袋２の材料として使用される不織布としては、スパンボンド法、エアスルー法、ポイントボンド法、メルトブロー法、エアレイド法やそれらの製法の組み合わせ（例えば、ＳＭＳ法）等により製造された不織布を用いればよい。なお、本発明において、液不透過性とは撥水性の意味も含まれる。
【００２２】
袋２の形状は、排泄物収容物品１の使用態様に応じて適宜定めればよい。図１に示した排泄物収容物品１は羽子板状の平面形状を有しており、例えば、パンツやおむつの内面に配して、いわゆる尿パッドとして使用することができる。排泄物収容物品１を尿パッドとして使用する場合には、排泄物収容物品１の形状（平面形状）は、略長方形、砂時計型、ひょうたん型等であってもよい。また、本発明の排泄物収容物品を使い捨ておむつに適用してもよい。
【００２３】
開口５は、排泄物収容物品１を着用した際に着用者の排尿部に面するように、排泄物収容物品１に設けられればよい。開口５の形状や大きさは、特に女性の排尿部に適合するように適宜定めることが好ましい。開口５の形状は、幅方向ｘより長手方向ｙに長い形状であることが好ましく、例えば、楕円形、角の丸まった長方形、長方形、多角形等が挙げられる。
【００２４】
袋２には、開口５の周縁に肌当接部材６が設けられる。肌当接部材６は、着用者が排泄物収容物品１を着用した際、着用者の肌に直接触れる部材である。肌当接部材６は、理想的には着用者の肌に密着して、着用者から排泄された尿等の排泄物が、袋２の外に漏れることなく開口５を通って確実に袋２に収容されるように作用する。
【００２５】
肌当接部材６は、開口５の周縁全体に設けられ、内縁６ａと外縁６ｂを有する。肌当接部材６は、着用者の排尿部を囲むように設けられることが好ましい。肌当接部材６は、少なくとも袋２の外側（外部）に設けられ、袋２を挟んで袋２の外部と内部にまたがって設けられてもよい。
【００２６】
肌当接部材６の内縁６ａの形状と大きさは、特に女性の着用者からの排泄物が内縁６ａにより形成される開口を確実に通過できるように、適宜定めることが好ましい。肌当接部材６の内縁６ａの形状は、幅方向ｘより長手方向ｙに長い形状であることが好ましく、例えば、楕円形、角の丸まった長方形、長方形、多角形等が挙げられる。
【００２７】
肌当接部材６の外縁６ｂの形状や大きさは特に限定されない。なお肌当接部材６は、内縁６ａと外縁６ｂの間の幅が５ｍｍ〜３５ｍｍ（より好ましくは７ｍｍ〜２５ｍｍ）の範囲にあることが好ましい。肌当接部材６は後述するように弾性体から構成されるが、このように内縁６ａと外縁６ｂの間の幅を定めれば、肌当接部材６が適度な剛性と柔軟性を有しやすくなり、肌当接部材６の肌への密着性を高めることができる。
【００２８】
肌当接部材６は弾性体から構成される。弾性体としては、一般的な排泄物収容物品の取り扱い条件で、弾性変形可能な部材であることが好ましい。弾性体としては、例えば、発泡ウレタン、発泡ゴム、発泡ポリエステル等の発泡ポリマー；天然ゴム；ウレタンゴム、スチレンブタジエンゴム、ブタジエンゴム、エチレンプロピレンゴム等の合成ゴム；木綿、海綿、パルプ繊維、合成繊維等の繊維の集合体である繊維塊等を用いることができる。なかでも、弾性体としては、クッション性や肌への密着性に優れる点で、発泡ポリマーを用いることが好ましい。
【００２９】
肌当接部材６に用いられる弾性体が発泡ポリマーである場合、尿等が発泡ポリマーに触れると、発泡ポリマーが尿等を吸ってしまうおそれがある。この場合、着用者が肌当接部材６に対し濡れた感覚を覚えて、着用感が悪化する。また、肌当接部材６と接する部分で肌が湿潤状態に置かれることにより、肌がダメージを受けるおそれがある。従って、肌当接部材６に用いられる弾性体が発泡ポリマーである場合は、肌当接部材６は、表面が液不透過性に形成された発泡ポリマー、または表面に液不透過層が設けられた発泡ポリマーから構成されることが好ましい。このように肌当接部材６を構成することにより、排泄物収容物品１に対する着用感が向上する。
【００３０】
発泡ポリマーの表面を液不透過性に形成する方法としては、例えば、発泡ポリマーの表面を加熱して、発泡ポリマーの表面を液不透過性に形成する方法が挙げられる。
【００３１】
発泡ポリマーの表面に液不透過層を設ける方法としては、例えば、発泡ポリマーの表面に塗料やホットメルト接着剤等を塗布する方法や、発泡ポリマーの表面に液不透過性のシートを取り付ける方法が挙げられる。液不透過性のシートとしては、不織布、プラスチックフィルム、プラスチックフィルムと不織布との積層体等を用いればよい。液不透過性の不織布としては、例えば、ポリオレフィン（例えば、プロピレン、ポリエチレン）、ポリエステル、ポリアミド（例えば、ナイロン）等の疎水性繊維から形成された不織布を用いることができる。
【００３２】
袋２の内部には、肌当接部材６に接合してスペーサー７が設けられる。スペーサー７は通液路を有しており、開口５を通って袋２内に移行した尿等の排泄物は、スペーサー７の通液路を通ってさらに袋２の内部の奥に移行することができる。
【００３３】
例えば、排泄物収容物品１にスペーサー７が設けられなかったり、スペーサー７が通液路を有していない場合、排泄物収容物品１の着用者が着座する等して排泄物収容物品１が厚み方向ｚに圧迫された状態で着用者が尿等を排泄すると、開口５を通って袋２内に移行した尿等が肌当接部材６やスペーサー７で堰き止められて、袋２の内部の奥に尿等が移行できないおそれがある。このような場合、着用者から排泄された尿等は、開口５から溢れて、排泄物収容物品１から漏れるおそれがある。しかし、本発明の排泄物収容物品１は通液路を有するスペーサー７が備えられるため、排泄物収容物品１が厚み方向ｚに圧迫されても、尿等の排泄物はスペーサー７の通液路を通って袋２の内部の奥に移行することができ、尿等の排泄物が袋２から溢れることなく、袋２内に収容されるようになる。
【００３４】
スペーサー７は、袋２の内部に、肌当接部材６に接合して設けられる。すなわち、スペーサー７は肌当接部材６の下側に固定される。スペーサー７は、肌当接部材６に直接的に接合してもよいし、袋２を構成するシート部材を介して間接的に接合してもよい。いずれの場合も、スペーサー７は、平面視（幅方向ｘと長手方向ｙから形成される面上）で肌当接部材６と重なって設けられる。
【００３５】
スペーサー７の下側は、いずれの部材に対しても固定されていないことが好ましい。例えば、スペーサー７は、底面シート４や後述する液吸収体９に対し、接着等により固定されない。スペーサー７の下側がいずれの部材に対しても固定されていなければ、排泄物収容物品１が厚み方向ｚに圧迫されない状態では、スペーサー７の下側に尿等の排泄物が拡散できる空間が形成されるようになり、好ましい。
【００３６】
スペーサー７は、通液路を有する限り、特にその材料は限定されない。なおスペーサー７は、弾性体から構成される肌当接部材６に接合して設けられるため、肌当接部材６の変形に追従して変形可能な材料から構成されることが好ましい。
【００３７】
スペーサー７は、例えば、発泡ウレタン、発泡ゴム、発泡ポリエステル等の発泡ポリマーや、木綿、海綿、パルプ繊維、合成繊維等の繊維の集合体である繊維塊から構成されることが好ましい。スペーサー７が発泡ポリマーまたは繊維塊から構成されていれば、発泡ポリマーまたは繊維塊の内部に存在する空隙が通液路として機能するようになる。つまり、開口５を通って袋２内に移行した尿等の排泄物は、発泡ポリマーまたは繊維塊の内部に存在する空隙を通って、袋２の内部の奥に移行することができる。
【００３８】
繊維塊としては、嵩高な不織布を用いることが簡便であり、好ましい。具体的には、繊維塊として、エアスルー不織布、エアレイド不織布、およびケミカルボンド不織布よりなる群から選ばれる少なくとも１種の不織布を用いることが好ましい。このような不織布を用いれば、不織布を嵩高くすることが容易になる。そして、不織布を構成する繊維間隙を比較的大きくすることができ、尿等の拡散性を高めやすくなる。スペーサー７を構成する不織布としては、特にエアスルー不織布を用いることが好ましい。
【００３９】
スペーサー７として不織布を用いる場合、不織布の目付は５０ｇ／ｍ2以上が好ましく、６０ｇ／ｍ2以上がより好ましい。スペーサー７を構成する不織布の目付が５０ｇ／ｍ2以上であれば、スペーサー７が比較的嵩高く形成されて、スペーサー７での尿等の拡散性が高められる。スペーサー７の不織布の目付の上限は特に定められないが、スペーサー７が適度な厚みを有するようになる点で、スペーサー７を構成する不織布の目付は４００ｇ／ｍ2以下であることが好ましく、３００ｇ／ｍ2以下であることがより好ましい。
【００４０】
スペーサー７の不織布を構成する繊維は、４ｄｔｅｘ以上の繊度を有することが好ましい。なお、不織布を構成する繊維が４ｄｔｅｘ以上の繊度を有するとは、不織布が、実質的に４ｄｔｅｘ以上の繊度を有する繊維のみから構成されることを意味する。前記繊度は、５ｄｔｅｘ以上がより好ましい。スペーサー７の不織布を構成する繊維の繊度の上限は特に限定されないが、繊度の一般的な上限として、２０ｄｔｅｘ以下が好ましく、１０ｄｔｅｘ以下がより好ましい。繊度が４ｄｔｅｘ以上の不織布は、不織布の中では比較的繊維径が太いものとなる。スペーサー７の不織布を構成する繊維が４ｄｔｅｘ以上の繊度を有していれば、不織布の繊維間の空隙が大きくなり、尿等の拡散性が良好となる。
【００４１】
スペーサー７はまた、天然ゴムや、ウレタンゴム、スチレンブタジエンゴム、ブタジエンゴム、エチレンプロピレンゴム等の合成ゴムから構成されることも好ましい。なお、天然ゴムや合成ゴムのようなゴム材料はそのままでは通液性を有しないため、スペーサー７がゴム材料から構成される場合は、ゴム材料に溝が形成されることが好ましい。スペーサー７に溝が形成されていれば、この溝が通液路として機能する。溝は、スペーサー７の少なくとも下側に形成されればよい。なお、溝は、スペーサー７がゴム材料から構成される場合に限らず、発泡ポリマーや繊維塊等から構成される場合であっても、形成されてもよい。
【００４２】
図３には、図１に示した排泄物収容物品１に備えられたスペーサー７の例を示す。なお、図３に示したスペーサー７は上側の面に肌当接部材６が設けられる。図３（ａ）には、溝を有しないスペーサー７の斜視図を示す。図３（ｂ）には、溝８を有するスペーサー７の斜視図を示す。図３（ｂ）では、スペーサー７の下側に溝８が形成されている。図３（ｃ）には、スペーサー７が一部分断されて設けられることにより、溝８が形成されたスペーサー７の斜視図を示す。溝８は、図３（ｃ）に示すように、スペーサー７が断続的に設けられることにより形成されるものであってもよい。
【００４３】
図１〜図３には、スペーサー７が肌当接部材６とほぼ同じ平面形状を有する実施態様を示したが、スペーサー７の形状は図１〜図３に示した実施態様に限定されない。例えば、スペーサー７は、肌当接部材６の外縁６ｂより外方に延在していてもよい。このようにスペーサー７が設けられていれば、排泄物収容物品１が厚み方向に圧迫されても、袋２の内部で、尿等の排泄物がスペーサー７の通液路を通って広範囲に拡散できるようになる。特に、スペーサー７が発泡ポリマーまたは繊維塊から構成される場合は、尿等の排泄物がスペーサー７の存在領域全体で広範囲に拡散できるため、好ましい。スペーサー７が肌当接部材６の外縁６ｂより外方に延在する場合、スペーサー７は、肌当接部材６の外縁６ｂから少なくとも長手方向ｙの外方に延在することが、尿等の排泄物が袋２の内部で広く拡散できる点で好ましい。
【００４４】
図１〜図３では、スペーサー７は肌当接部材６の内縁６ａによって形成される開口と重なる位置に開口が設けられていたが、スペーサー７には開口が設けられなくてもよい。例えば、スペーサー７が発泡ポリマーまたは繊維塊から構成される場合は、スペーサー７は肌当接部材６の内縁６ａによって形成される開口を覆うように設けてもよい。このような場合であっても、開口５を通って袋２内に移行した尿等が、発泡ポリマーまたは繊維塊の内部に存在する空隙を通って、袋２の内部の奥に移行することができる。
【００４５】
しかし、スペーサー７が肌当接部材６の内縁６ａによって形成される開口を覆うように設けられる場合、排泄物収容物品１が厚み方向に圧迫されると、着用者の肌が開口５に入り込んで、尿等を内部に含んだスペーサー７に触れることにより、不快感を覚えるおそれがある。従って、スペーサー７は、肌当接部材６の内縁６ａによって形成される開口と重なる開口を有することが好ましい。このようにスペーサー７に開口が設けられていれば、排泄物収容物品１が厚み方向に圧迫されても、着用者の肌がスペーサー７に触れにくくなる。
【００４６】
スペーサー７が肌当接部材６の内縁６ａによって形成される開口と重なる開口を有する場合、スペーサー７には、肌当接部材６の内縁６ａによって形成される開口の一部または全部と重なる開口が設けられればよい。排泄物収容物品１が厚み方向に圧迫されても、着用者の肌がスペーサー７に触れにくくする点からは、スペーサー７には、肌当接部材６の内縁６ａによって形成される開口の５０％以上（より好ましくは７０％以上）の面積を占めるように、開口が設けられることが好ましい。
【００４７】
さらに、スペーサー７に開口が設けられる場合、着用者の肌がスペーサー７に触れにくくする点からは、スペーサー７は、開口が設けられる部分を除いて、フラットに形成されることが好ましい。つまり、スペーサー７が、開口５で厚みが増すように形成されたりしないことが好ましい。
【００４８】
排泄物収容物品１は、袋２の内部に液吸収体が設けられていることが好ましい。袋２の内部に液吸収体が設けられていれば、袋２の内部に収容された尿等の排泄物が液吸収体に吸収されて固定され、尿等の排泄物を袋２内に好適に収容できるようになる。
【００４９】
液吸収体は、尿等の排泄物を吸収できる吸収性材料を含むものであれば特に限定されない。液吸収体としては、例えば、吸収性材料を所定形状に成形した成形体を用いたり、あるいは吸収性材料を紙シート（例えば、ティッシュペーパーや薄葉紙）や液透過性不織布シート等のシート部材で覆ったものを用いることができる。液吸収体に含まれる吸収性材料としては、例えば、粉砕したパルプ繊維、セルロース繊維等の親水性繊維や、ポリアクリル酸系、ポリアスパラギン酸系、セルロース系、デンプン・アクリロニトリル系等の吸水性樹脂等が挙げられる。また、吸水性材料には、ポリエチレン、ポリプロピレン等のポリオレフィン繊維や、ＰＥＴ等のポリエステル繊維、ポリアミド繊維等の熱融着性繊維が含まれてもよい。これらの熱融着性繊維は、尿等の体液との親和性を高めるために、界面活性剤等により親水化処理がされていてもよい。
【００５０】
吸収性材料は、尿等を速やかに吸収できるようにするために親水性繊維を含むことが好ましい。また、液吸収体の吸収容量を高める点からは、吸収性材料は親水性繊維に加え吸水性樹脂を含むことが好ましい。吸収性材料は、例えば、親水性繊維の集合体に吸水性樹脂を混合または散布したものを用いることが好ましい。
【００５１】
液吸収体は、不織布シート間に吸水性樹脂を有しパルプ繊維を有しないシート状吸収体であってもよい。シート状吸収体は不織布シート間に吸水性樹脂を有するため、高い吸収容量を実現できる。また、シート状吸収体は不織布シート間にパルプ繊維を有しないため、嵩張らず薄型に形成することができる。また、シート状吸収体は比較的表面が硬いため、シート状吸収体の上に溝を有するスペーサーが載せられてスペーサーがシート状吸収体を圧迫しても、スペーサーの溝が通液路として好適に機能するようになる。
【００５２】
シート状吸収体に用いられる不織布シートは液透過性であり、そのような不織布シートとしては、例えば、セルロース、レーヨン、コットン等の親水性繊維；ポリオレフィン（例えば、プロピレン、ポリエチレン）、ポリエステル、ポリアミド（例えば、ナイロン）等の疎水性繊維を界面活性剤で親水化したものを用いればよい。
【００５３】
本発明の排泄物収容物品について、液吸収体を設けた実施態様を図４および図５を参照して説明する。図４，図５には、図１および図２に示した排泄物収容物品１に対し、袋２の内部に液吸収体９を設けた排泄物収容物品１を示した。図４は、排泄物収容物品の斜視図を表す。図５は、図２のＢ−Ｂ断面図を表す。なお、下記の説明において、図１および図２の実施態様と重複する部分の説明は省略する。
【００５４】
図４，図５に示した排泄物収容物品１は、袋２の内部に液吸収体９が設けられている。液吸収体９は、スペーサー７と底面シート４との間に、底面シート４に接合して設けられている。開口５を通って袋２内に移行した尿等は、排泄物収容物品１が厚み方向ｚに圧迫されない状態では、液吸収体９上を拡散して液吸収体９の広い範囲で吸収されるようになる。排泄物収容物品１が厚み方向ｚに圧迫された状態では、尿等はスペーサー７の通液路を通って拡散して、液吸収体９の広い範囲で吸収されるようになる。
【００５５】
上記では、本発明の排泄物収容物品を尿パッドに適用する場合について説明したが、本発明の排泄物収容物品は尿パッドに限定されず、使い捨ておむつ等の一般の吸収性物品に適用可能な用途に用いることができる。
【００５６】
排泄物収容物品が使い捨ておむつである場合、使い捨ておむつは、左右に一対の止着部材が備えられ、当該止着部材により着用時にパンツ型に形成するオープン型使い捨ておむつであってもよく、ウェスト開口部と一対の脚開口部とが形成されたパンツ型使い捨ておむつであってもよい。
【符号の説明】
【００５７】
１：  排泄物収容物品
２：  袋
５：  開口
６：  肌当接部材
７：  スペーサー
９：  液吸収体
【図１】
0005606866.tif 000002
【図２】
0005606866.tif 000003
【図３】
0005606866.tif 000004
【図４】
0005606866.tif 000005
【図５】
0005606866.tif 000006